【手続補正書】
【提出日】平成16年3月9日(2004.3.9)
【手続補正１】
【補正対象書類名】明細書
【補正対象項目名】特許請求の範囲
【補正方法】変更
【補正の内容】
【特許請求の範囲】
【請求項１】
構内交換機またはボタン電話装置の主装置に接続される電話装置であって、使用者の音声情報およびダイヤル情報を蓄積する音声電話帳メモリ部と、前記音声情報から使用者の入力音声を認識し前記ダイヤル情報に基づいてダイヤル発信制御を行う制御部と、使用者に音声または表示によって音声操作を指示するガイダンスデータを記憶した固定ガイダンスメモリ部とを設けたことを特徴とする音声認識電話装置。
【請求項２】
電話回線に接続される電話装置であって、使用者の音声情報およびダイヤル情報を蓄積する音声電話帳メモリ部と、前記音声情報から使用者の入力音声を認識し前記ダイヤル情報に基づいてダイヤル発信制御を行う制御部と、使用者に音声または表示によって音声操作を指示するガイダンスデータを記憶した固定ガイダンスメモリ部とを設けたことを特徴とする音声認識電話装置。
【請求項３】
構内交換機またはボタン電話装置の主装置に接続される電話装置であって、使用者の音声情報を入力する音声入力手段と、使用者に音声または表示によって音声操作を指示するガイダンスデータを記憶した固定ガイダンスメモリ部と、前記ガイダンスデータを表示する表示手段と、前記ガイダンスデータを音声ガイダンスに変換すると共に使用者が入力した前記音声情報を音声デジタル情報に変換する変換手段と、前記変換手段で変換された前記音声ガイダンスを音として出力する出力手段と、前記ダイヤル情報を入力するダイヤル入力手段と、前記ダイヤル情報と前記音声デジタル情報を関連付けて件名毎に蓄積する音声電話帳メモリ部と、前記音声デジタル情報および前記ダイヤル情報の登録動作を制御すると共に音声によるダイヤル発信を制御する制御手段とを備え、発信のために入力された音声情報を前記変換手段により音声デジタル情報に変換し、当該音声デジタル情報を基に前記音声電話帳メモリ部に蓄積された音声デジタル情報から類似している件名を抽出し、音声または表示によるガイダンスによって使用者に確認し、正しい場合に当該件名のダイヤル情報を読み出してダイヤル発信するように構成したことを特徴とする音声認識電話装置。
【請求項４】
電話回線に接続される電話装置であって、使用者の音声を入力する音声入力手段と、使用者に音声または表示によって音声操作を指示するガイダンスデータを記憶した固定ガイダンスメモリ部と、前記ガイダンスデータを表示する表示手段と、前記ガイダンスデータを音声ガイダンスに変換すると共に使用者が入力した前記音声情報を音声デジタル情報に変換する変換手段と、前記変換手段で変換された前記音声ガイダンスを音として出力する出力手段と、前記ダイヤル情報を入力するダイヤル入力手段と、前記ダイヤル情報と前記音声デジタル情報を関連付けて件名毎に蓄積する音声電話帳メモリ部と、前記音声デジタル情報および前記ダイヤル情報の登録動作を制御すると共に音声によるダイヤル発信を制御する制御手段とを備え、発信のために入力された音声情報を前記変換手段により音声デジタル情報に変換し、当該音声デジタル情報を基に前記音声電話帳メモリ部に蓄積された音声デジタル情報から類似している件名を抽出し、音声または表示によるガイダンスによって使用者に確認し、正しい場合に当該件名のダイヤル情報を読み出してダイヤル発信するように構成したことを特徴とする音声認識電話装置。
【手続補正２】
【補正対象書類名】明細書
【補正対象項目名】００１３
【補正方法】変更
【補正の内容】
【００１３】
【課題を解決するための手段】
本発明の音声認識電話装置は、構内交換機またはボタン電話装置の主装置に接続される電話装置であって、使用者の音声情報およびダイヤル情報を蓄積する音声電話帳メモリ部と、前記音声情報から使用者の入力音声を認識し前記ダイヤル情報に基づいてダイヤル発信制御を行う制御部と、使用者に音声または表示によって音声操作を指示するガイダンスデータを記憶した固定ガイダンスメモリ部とを設けたものである。


【手続補正３】
【補正対象書類名】明細書
【補正対象項目名】００１５
【補正方法】変更
【補正の内容】
【００１５】
【発明の実施の形態】
本発明の請求項１に記載の発明は、構内交換機またはボタン電話装置の主装置に接続される電話装置であって、使用者の音声情報およびダイヤル情報を蓄積する音声電話帳メモリ部と、前記音声情報から使用者の入力音声を認識し前記ダイヤル情報に基づいてダイヤル発信制御を行う制御部と、使用者に音声または表示によって音声操作を指示するガイダンスデータを記憶した固定ガイダンスメモリ部とを設けたものである。


【手続補正４】
【補正対象書類名】明細書
【補正対象項目名】００１７
【補正方法】変更
【補正の内容】
【００１７】
請求項２に記載の発明は、電話回線に接続される電話装置であって、使用者の音声情報およびダイヤル情報を蓄積する音声電話帳メモリ部と、前記音声情報から使用者の入力音声を認識し前記ダイヤル情報に基づいてダイヤル発信制御を行う制御部と、使用者に音声または表示によって音声操作を指示するガイダンスデータを記憶した固定ガイダンスメモリ部とを設けたものである。


【手続補正５】
【補正対象書類名】明細書
【補正対象項目名】００１８
【補正方法】変更
【補正の内容】
【００１８】
本発明において、音声ダイヤル登録時に固定ガイダンスに従って使用者が音声入力およびダイヤル入力を行うと、制御部は使用者自らの音声情報とダイヤル情報とを音声電話帳メモリ部に蓄積する。音声ダイヤル発信時は使用者の入力音声と音声電話帳メモリ部に蓄積されている情報とから類似している情報を抽出し、ガイダンスによって正しいことを使用者に確認すると、ダイヤル発信する。
請求項３に記載の発明は、構内交換機またはボタン電話装置の主装置に接続される電話装置であって、使用者の音声情報を入力する音声入力手段と、使用者に音声または表示によって音声操作を指示するガイダンスデータを記憶した固定ガイダンスメモリ部と、前記ガイダンスデータを表示する表示手段と、前記ガイダンスデータを音声ガイダンスに変換すると共に使用者が入力した前記音声情報を音声デジタル情報に変換する変換手段と、前記変換手段で変換された前記音声ガイダンスを音として出力する出力手段と、前記ダイヤル情報を入力するダイヤル入力手段と、前記ダイヤル情報と前記音声デジタル情報を関連付けて件名毎に蓄積する音声電話帳メモリ部と、前記音声デジタル情報および前記ダイヤル情報の登録動作を制御すると共に音声によるダイヤル発信を制御する制御手段とを備え、発信のために入力された音声情報を前記変換手段により音声デジタル情報に変換し、当該音声デジタル情報を基に前記音声電話帳メモリ部に蓄積された音声デジタル情報から類似している件名を抽出し、音声または表示によるガイダンスによって使用者に確認し、正しい場合に当該件名のダイヤル情報を読み出してダイヤル発信するように構成したものである。
本発明において、音声ダイヤル登録時に固定ガイダンスに従って使用者が音声入力およびダイヤル入力を行うと、制御手段は、使用者自らの音声情報とダイヤル情報とを音声電話帳メモリ部に蓄積する。音声ダイヤル発信時は使用者の入力音声と音声電話帳メモリ部に蓄積されている情報とから類似している情報を抽出し、ガイダンスによって正しいことを使用者に確認すると、交換機または主装置からダイヤル発信する。
請求項４に記載の発明は、電話回線に接続される電話装置であって、使用者の音声を入力する音声入力手段と、使用者に音声または表示によって音声操作を指示するガイダンスデータを記憶した固定ガイダンスメモリ部と、前記ガイダンスデータを表示する表示手段と、前記ガイダンスデータを音声ガイダンスに変換すると共に使用者が入力した前記音声情報を音声デジタル情報に変換する変換手段と、前記変換手段で変換された前記音声ガイダンスを音として出力する出力手段と、前記ダイヤル情報を入力するダイヤル入力手段と、前記ダイヤル情報と前記音声デジタル情報を関連付けて件名毎に蓄積する音声電話帳メモリ部と、前記音声デジタル情報および前記ダイヤル情報の登録動作を制御すると共に音声によるダイヤル発信を制御する制御手段とを備え、発信のために入力された音声情報を前記変換手段により音声デジタル情報に変換し、当該音声デジタル情報を基に前記音声電話帳メモリ部に蓄積された音声デジタル情報から類似している件名を抽出し、音声または表示によるガイダンスによって使用者に確認し、正しい場合に当該件名のダイヤル情報を読み出してダイヤル発信するように構成したものである。
本発明において、音声ダイヤル登録時に固定ガイダンスに従って使用者が音声入力およびダイヤル入力を行うと、制御手段は、使用者自らの音声情報とダイヤル情報とを音声電話帳メモリ部に蓄積する。音声ダイヤル発信時は使用者の入力音声と音声電話帳メモリ部に蓄積されている情報とから類似している情報を抽出し、ガイダンスによって正しいことを使用者に確認すると、ダイヤル発信する。